(57)【要約】【課題】工事現場における斜角付けや溶接などの加工作業を必要とせず、工場で予めに大量生産することができ、工事現場では梁体と柱体との間に設置且つ固定するだけでそれらを連結させることができる連結装置を提供する。【解決手段】支持手段１２と上保持枠２１と下支持枠１１とを備え、支持手段１２は上面１２６の少なくとも一部が下から横方向Ｗで延伸する梁体９００に当接して支持できる。上保持枠２１は支持手段１２の上面１２６に取付けられ、且つ、支持手段１２と共に該支持手段１２に支持される梁体９００を受け入れて保持する保持空間２４を囲み、下支持枠１１は支持手段１２の上面１２６の反対側にある下面１２５に形成され、且つ、横方向Ｗと直交する縦方向Ｌとゼロより大の所定の傾き角度を成す延伸方向に沿って延伸する柱体８００を受け入れる受入空間１６を囲み、該柱体８００に取り付け可能になっている。【選択図】図１
0003212631.tif 000002
【実用新案登録請求の範囲】
【請求項１】
上面の少なくとも一部が下から、横方向に延伸する梁体に当接して支持できる支持手段と、
前記支持手段の前記上面に取付けられ、且つ、前記支持手段と共に該支持手段に支持される前記梁体を受け入れて保持する保持空間を囲む上保持枠と、
前記支持手段の前記上面の反対側にある下面に形成され、且つ、前記横方向と直交する縦方向とゼロより大の所定の傾き角度を成す延伸方向に沿って延伸する柱体を受け入れる受入空間を囲む上、該柱体に取り付け可能になっている下支持枠と、
を備えていることを特徴とする連結装置。
【請求項２】
前記下支持枠は、前記柱体の延伸方向の両側から前記柱体を挟むように前記受入空間を画成する第１の取付部材及び第２の取付部材を具えており、
前記第１の取付部材の上側には、前記支持手段の前記下面に当接して固定される第１の下接続板が形成されており、
前記第２の取付部材の上側には、前記支持手段の前記下面に当接して固定される第２の下接続板が形成されている、ことを特徴とする請求項１に記載の連結装置。
【請求項３】
前記上保持枠は、
前記保持空間を挟んで前記支持手段の前記上面と対面する上壁と、
前記保持空間を挟んで前記上壁から互いに平行して前記支持手段に向かって延伸する第１の上延伸壁及び第２の上延伸壁と、
前記第１の上延伸壁が前記上壁から延伸する先端縁及び前記第２の上延伸壁が前記上壁から延伸する先端縁からそれぞれ互いに離れるよう延伸する第１の上接続板及び第２の上接続板と、
を有しており、
前記第１の上接続板及び前記第２の上接続板は、前記支持手段の前記上面に当接して固定されており、
前記上壁と前記第１の上延伸壁及び前記第２の上延伸壁は、前記支持手段の前記上面と共に前記保持空間を画成する、ことを特徴とする請求項２に記載の連結装置。
【請求項４】
前記第１の取付部材には更に、
前記第１の下接続板の前記第２の下接続板に面する端縁から、前記柱体の延伸方向に沿って下方へ延伸する第１の基壁と、
前記第１の基壁の両側端縁からそれぞれ互いに平行して前記第２の取付部材側に向かって延伸する第１の左延伸壁及び第１の右延伸壁と、
が形成されており、
前記第２の取付部材には更に、
前記第２の下接続板の前記第１の下接続板に面する端縁から、前記柱体の延伸方向に沿って下方へ延伸する第２の基壁と、
前記第２の基壁の両側端縁からそれぞれ互いに平行して前記第１の左延伸壁及び前記第１の右延伸壁に向かって延伸する第２の左延伸壁及び第２の右延伸壁と、
が形成されており、
前記第１の基壁と前記第１の左延伸壁と前記第１の右延伸壁及び前記第２の基壁と前記第２の左延伸壁と前記第２の右延伸壁とにより前記受入空間を画成する、ことを特徴とする請求項３に記載の連結装置。
【請求項５】
前記支持手段は、
上面が下から前記梁体に当接して支持する中央板部と、
前記中央板部と隣接する第１の接続板部と、
前記第１の接続板部の反対側で前記中央板部と隣接する第２の接続板部と、
からなる板状の支持体を有しており、
前記下支持枠の前記第１の取付部材の前記第１の下接続板及び前記第２の取付部材の前記第２の下接続板は、前記第１の接続板部と前記第２の接続板部のそれぞれの下面に当接して固定されており、
前記上保持枠の前記第１の上接続板及び前記第２の上接続板は、前記第１の接続板部と前記第２の接続板部のそれぞれの上面に当接して固定されている、ことを特徴とする請求項４に記載の連結装置。
【請求項６】
前記上保持枠の前記第１の上接続板と前記支持手段の前記第１の接続板部と前記第１の取付部材にある前記第１の下接続板とを一斉に貫通して固定する複数の第１の上固定手段と、
前記上保持枠の前記第２の上接続板と前記支持手段の前記第２の接続板部と前記第２の取付部材にある前記第２の下接続板とを一斉に貫通して固定する複数の第２の上固定手段と、
を更に備えていることを特徴とする請求項５に記載の連結装置。
【請求項７】
前記支持手段は、板状の前記支持体の外周縁から下方へ突起して前記下支持枠の前記支持手段に臨む端部の外周面を囲む補強突起を更に有することを特徴とする請求項６に記載の連結装置。
【請求項８】
前記上保持枠は、
前記第１の上接続板の前記第１の上延伸壁から延伸する先端縁から、前記支持手段へ突起して前記補強突起の側面を覆う第１の補強壁と、
前記第２の上接続板の前記第２の上延伸壁から延伸する先端縁から、前記支持手段へ突起して前記補強突起の側面を覆う第２の補強壁と、
を更に有することを特徴とする請求項７に記載の連結装置。
【請求項９】
前記第１の取付部材には、前記第１の左延伸壁が延伸する先端縁及び前記第１の右延伸壁が延伸する先端縁からそれぞれ互いに離れるように左右へ延伸する第１の左接続板及び第１の右接続板が更に形成されており、
前記第２の取付部材には、前記第２の左延伸壁が延伸する先端縁及び前記第２の右延伸壁が延伸する先端縁からそれぞれ互いに離れるように左右へ延伸する第２の左接続板及び第２の右接続板とが更に形成されており、
前記第１の取付部材が有する前記第１の左接続板及び前記第２の取付部材が有する前記第２の左接続板を一斉に貫通して固定する複数の左固定手段と、
前記第１の取付部材が有する前記第１の右接続板及び前記第２の取付部材が有する前記第２の右接続板を一斉に貫通して固定する複数の右固定手段と、
を更に備えていることを特徴とする請求項６〜請求項８のいずれか一項に記載の連結装置。
【請求項１０】
前記第１の上固定手段と前記第２の上固定手段と前記左固定手段と前記右固定手段とは、いずれもボルトと該ボルトに対応するナットを有することを特徴とする請求項９に記載の連結装置。
【考案の詳細な説明】
【技術分野】
【０００１】
本考案は連結装置に関し、特に構造材における梁体と柱体との連結に用いられる連結装置に関する。
【背景技術】
【０００２】
太陽光発電用のソーラーパネルを傾斜させて設置すべく、それを支持するための従来の支持構造は、例えば板状のソーラーパネルと水平方向に沿って延伸すると共に、該ソーラーパネルを鉛直方向と所定の傾き角度をなす支持面で支持する複数の梁体と、前記梁体から前記鉛直方向に沿って、地面に向かって延伸する複数の柱体と、を備えたものである。これによって、該従来の支持構造は、鉛直方向で直立した各前記柱体と、それらと互いに傾斜して接続する各前記梁体で、ソーラーパネルを傾斜設置の状態で支持して、効率よく受光させて発電することができる。
【考案の概要】
【考案が解決しようとする課題】
【０００３】
しかし、このような従来の支持構造の建設においては、工事現場で、直立した各柱体で各梁体の支持面が前記所定の傾き角度をなす状態で梁体を支持するよう、それらを接続する箇所において前記所定の傾き角度に対応した切削加工を行って斜角を付けてから溶接で接続させるなどの作業が必要なため、建設の効率には改善する余地がある。
【０００４】
上記問題点に鑑みて、本考案は、工事現場における斜角付けや溶接などの加工作業を必要とせず、工場で予めに大量生産することができ、工事現場では梁体と柱体との間に設置且つ固定するだけでそれらを連結させることができる連結装置の提供を目的とする。
【課題を解決するための手段】
【０００５】
上記目的を達成すべく、本考案の連結装置は、支持手段と上保持枠と下支持枠とを備えている。前記支持手段は、上面の少なくとも一部が下から横方向で延伸する梁体に当接して支持できる。前記上保持枠は、前記支持手段の前記上面に取付けられ、且つ、前記支持手段と共に前記支持手段に支持される前記梁体を受け入れて保持する保持空間を囲んでいる。前記下支持枠は、前記支持手段の前記上面の反対側にある下面に形成され、且つ、前記横方向と直交する縦方向とゼロより大の所定の傾き角度を成す延伸方向に沿って延伸する柱体を受け入れる受入空間を囲む上、該柱体に取り付け可能になっている。
【考案の効果】
【０００６】
上記構成によれば、本考案の連結装置は、梁体に当接して支持できる前記支持手段と、前記支持手段と共に前記梁体を保持する前記上保持枠と、所定の傾き角度を成す延伸方向に沿って延伸する柱体を受け入れて該柱体に取り付け可能になっている前記下支持枠と、を備えているので、該梁体と該柱体を互いに傾斜する前記横方向と所定の前記延伸方向にそれぞれ沿って延伸する状態で連結させることができる。
【図面の簡単な説明】
【０００７】
【図１】本考案の連結装置の実施形態の構造が示される分解斜視図である。
【図２】本考案の連結装置の実施形態の梁体と柱体とを連結させている状態が示される斜視図である。
【図３】本考案の連結装置の実施形態の梁体と柱体とを連結させている状態が示される平面図である。
【図４】本考案の連結装置の実施形態の梁体と柱体とを連結させている状態が示される断面図であり、図３のＩＶ―ＩＶの断面図である。
【考案を実施するための形態】
【０００８】
以下、図１〜図４を参照しながら、本考案の連結装置を例示する実施形態について詳しく説明する。図１は本考案の連結装置の実施形態の構造が示される分解斜視図である。図２は本考案の実施形態の梁体と柱体とを連結させている状態が示される斜視図である。図３は本考案の実施形態の梁体と柱体とを連結させている状態が示される平面図である。そして、図４は本考案の実施形態の梁体と柱体とを連結させている状態が示される断面図であり、図３のＩＶ―ＩＶの断面図である。
【０００９】
図１に示されるように、本考案の連結装置は、予め生産することができ、構造材における棒状の梁体９００と柱体８００とに適用してそれらを連結させることができるものである。そして、本考案の連結装置は、支持手段１２と、上保持枠２１と、下支持枠１１と、を備えている。なお、本実施形態を例示するための梁体９００及び柱体８００としてはそれぞれ、２つのリップ溝形鋼が互いのリップ部を向き合わせて接続されることで、１つの棒状体に作成されたものが使われている。
【００１０】
図２に示されるように、支持手段１２は、上面１２６の少なくとも一部が下から、横方向Ｗへ延伸する梁体９００に当接して支持できるように構成されている。また、図１と図３に示されたように、支持手段１２は、主に板状の支持体１２０を有する。
【００１１】
支持体１２０は、上面１２６が下から梁体９００に当接して支持する前記一部である中央板部１２１と、中央板部１２１の一側で該中央板部１２１と隣接する第１の接続板部１２２と、第１の接続板部１２２の反対側で中央板部１２１と隣接する第２の接続板部１２３と、が設けられている。
【００１２】
この実施形態において、上保持枠２１は、支持手段１２の上面１２６に取り外し可能に取付けられ、且つ、支持手段１２と共に該支持手段１２に支持される梁体９００を受け入れて保持できる保持空間２４を囲んでいる。また、図１に示されたように上保持枠２１は、上壁２１１と、第１の上延伸壁２１２及び第２の上延伸壁２１３と、第１の上接続板２１４及び第２の上接続板２１５と、第１の補強壁２１６及び第２の補強壁２１７と、を有する。また、第１の上接続板２１４及び第２の上接続板２１５は、それぞれ複数の第１の上固定手段２２及び複数の第２の上固定手段２３とを用いて、支持手段１２の第１の接続板部１２２と、第２の接続板部１２３とに接続されている。
【００１３】
上壁２１１は、保持空間２４を挟んで支持手段１２の上面１２６と対面する。第１の上延伸壁２１２及び第２の上延伸壁２１３は、保持空間２４を挟んで上壁２１１から互いに平行して、それぞれ支持手段１２に向かって延伸する。第１の上接続板２１４及び第２の上接続板２１５は、第１の上延伸壁２１２が上壁２１１から延伸する先端縁及び第２の上延伸壁２１３が上壁２１１から延伸する先端縁から、それぞれ互いに離れるよう延伸する。図４に示されるように、第１の補強壁２１６は、第１の上接続板２１４の第１の上延伸壁２１２から延伸する先端縁から、支持手段１２へ突出して補強突起１２４の第１の接続板部１２２側にある側面を覆っている。一方、第２の補強壁２１７は、第２の上接続板２１５の第１の上延伸壁２１２から延伸する先端縁から、支持手段１２へ突出して補強突起１２４の第２の接続板部１２３側にある側面を覆っている。
【００１４】
そして、第１の上接続板２１４及び第２の上接続板２１５が、支持手段１２にある第１の接続板部１２２及び第２の接続板部１２３のそれぞれの上面１２６側に当接して固定されたことで、上壁２１１と第１の上延伸壁２１２及び第２の上延伸壁２１３とは、支持手段１２の中央板部１２１の上面１２６側と共に上記の保持空間２４を画成する。
【００１５】
図３に示されるように、下支持枠１１は、支持手段１２の上面１２６の反対側にある下面１２５に取り外し可能に取り付けられ、且つ、横方向Ｗと直交する縦方向Ｌとゼロより大の所定の傾き角度θを成す延伸方向Ａに沿って延伸する柱体８００を受け入れる受入空間１６を囲む上、該柱体８００に取り付け可能になっている。また、下支持枠１１は、柱体８００の所定の延伸方向Ａの両側から該柱体８００を挟むように、共に上記の受入空間１６（図４を参照）を画成する第１の取付部材１３及び第２の取付部材１４を具えている。なお、本実施形態における傾き角度θは、５°に設定されているが、実際の状況次第で適宜変更して、異なる傾斜度の下支持枠１１を作成することも可能である。
【００１６】
また、支持手段１２は、板状の支持体１２０の外周縁から下方へ突起して下支持枠１１の支持手段１２に臨む端部の外周面を囲む補強突起１２４を更に有しており（図３に参照）、これにより支持体１２０と下支持枠１１とが連結する箇所の構造強度を高めることができる上、支持体１２０自身の折れなどの変形をも防止できる。
【００１７】
図１に示されたように、第１の取付部材１３には、第１の下接続板１３２と、第１の基壁１３１と、第１の左延伸壁１３３及び第１の右延伸壁１３４と、第１の左接続板１３５及び第１の右接続板１３６と、が形成されている。
【００１８】
第１の下接続板１３２は、第１の取付部材１３の上側に形成されて、支持手段１２の下面１２５に当接して固定されている。第１の基壁１３１は、第１の下接続板１３２の第２の下接続板１４２に面する端縁から、柱体８００の所定の延伸方向Ａに沿って下方へ延伸して略直角台形（図３）になっている。第１の左延伸壁１３３及び第１の右延伸壁１３４は、第１の基壁１３１の両側端縁からそれぞれ互いに平行して第２の取付部材１４側（図１における右斜め上側）に向かって延伸する。そして、第１の左接続板１３５及び第１の右接続板１３６は、第１の左延伸壁１３３が延伸する先端縁、及び、第１の右延伸壁１３４が延伸する先端縁からそれぞれ互いに離れるように左右（図３における左右両側）へ延伸する。
【００１９】
一方、第２の取付部材１４には、第２の下接続板１４２と、第２の基壁１４１と、第２の左延伸壁１４３及び第２の右延伸壁１４４と、第２の左接続板１４５及び第２の右接続板１４６と、が形成されている。
【００２０】
第２の下接続板１４２は、第２の取付部材１４の上側に支持手段１２の下面１２５に当接して固定されている。第２の基壁１４１は、第２の下接続板１４２の第１の下接続板１３２に面する端縁から、柱体８００の所定の延伸方向Ａに沿って下方へ延伸して略直角台形になっている。第２の左延伸壁１４３及び第２の右延伸壁１４４は、第２の基壁１４１の両側端縁からそれぞれ互いに平行して第１の左延伸壁１３３及び第１の右延伸壁１３４に向かって延伸する（図１における左斜め下側）。第２の左接続板１４５及び第２の右接続板１４６は、第２の左延伸壁１４３が延伸する先端縁、及び、第２の右延伸壁１４４が延伸する先端縁からそれぞれ互いに離れるように左右（図１における左斜め上側と右斜め下側）へ延伸する。
【００２１】
図４に示されたように、第１の取付部材１３の第１の下接続板１３２及び第２の取付部材１４の第２の下接続板１４２は、支持手段１２の第１の接続板部１２２と第２の接続板部１２３のそれぞれの下面１２５側に当接して固定されている。一方、図１と図２に示されたように、第１の取付部材１３の第１の左接続板１３５及び第１の右接続板１３６が、第２の取付部材１４の第２の左接続板１４５及び第２の右接続板１４６にそれぞれ当接されて固定されたことで、第１の基壁１３１と第１の左延伸壁１３３と第１の右延伸壁１３４及び第２の基壁１４１と第２の左延伸壁１４３と第２の右延伸壁１４４とにより、上記の受入空間１６を画成する。
【００２２】
また、図１に示されたように、第１の取付部材１３の第１の左接続板１３５及び第１の右接続板１３６には、それぞれ複数の第１の左長穴１３７及び複数の第１の右長穴１３８が開けられている。一方、第２の取付部材１４の第２の左接続板１４５及び第２の右接続板１４６には、それぞれ各第１の左長穴１３７に対応する複数の第２の左長穴１４７、及び、各第１の右長穴１３８に対応する複数の第２の右長穴１４８が開けられている。
【００２３】
なお、第１の取付部材１３と第２の取付部材１４とは、それぞれ複数の左固定手段１７と複数の右固定手段１８とを用いて、互いに接続されている。
【００２４】
各左固定手段１７及び各右固定手段１８としては、いずれも根角ボルト１７１、１８１と、該根角ボルト１７１、１８１と螺合できるナット１７２、１８２が使用されている。
【００２５】
各左固定手段１７は、根角ボルト１７１が、第１の取付部材１３が有する第１の左接続板１３５の第１の左長穴１３７、及び、それに対応する第２の取付部材１４が有する第２の左接続板１４５の第２の左長穴１４７を一斉に貫通すると共に、その根角部を回転不能に挿し込み、そしてそのネジ部をナット１７２と螺合して、第１の左接続板１３５と第２の左接続板１４５を取り外し可能に接続して固定する。
【００２６】
一方、各右固定手段１８は、根角ボルト１８１が、対応する第１の取付部材１３が有する第１の右接続板１３６の第１の右長穴１３８、及び、第２の取付部材１４が有する第２の右接続板１４６の第２の右長穴１４８を一斉に貫通すると共に、その根角部を回転不能に挿し込み、そしてそのネジ部をナット１８２と螺合して、第１の右接続板１３６と第２の右接続板１４６を取り外し可能に接続して固定する。
【００２７】
更に、第１の取付部材１３の第１の下接続板１３２には、複数の第１の下長穴１３９が開けられ、一方、第２の取付部材１４の第２の下接続板１４２には、複数の第１の下長穴１４９が開けられている。支持手段１２の第１の接続板部１２２及び第２の接続板部１２３には、それぞれ各第１の下長穴１３９に対応する複数の第１の接続長穴１２７、及び、各第２の下長穴１４９に対応する複数の第２の接続長穴１２８が開けられている。そして、上保持枠２１の第１の上接続板２１４及び第２の上接続板２１５には、それぞれ各第１の接続長穴１２７に対応する複数の第１の上長穴２１８、及び、各第２の接続長穴１２８に対応する複数の第２の上長穴２１９が開けられている。
【００２８】
本実施形態における各第１の上固定手段２２及び各第２の上固定手段２３としては、いずれも根角ボルト２２１、２３１と、該根角ボルト２２１、２３１と螺合できるナット２２２、２３２が使用されている。
【００２９】
各第１の上固定手段２２は、根角ボルト２２１が、対応する上保持枠２１の第１の上接続板２１４にある第１の上長穴２１８と、それに対応する支持手段１２の第１の接続板部１２２にある第１の接続長穴１２７と、それに対応する第１の取付部材１３の第１の下接続板１３２にある第１の下長穴１３９と、を一斉に貫通して、その根角部を回転不能に挿し込んで、そのネジ部をナット２２２と螺合して、第１の上接続板２１４と第１の接続板部１２２と第１の下接続板１３２とを取り外し可能に接続し固定する。
【００３０】
一方、各第２の上固定手段２３は、根角ボルト２３２が、対応する上保持枠２１の第２の上接続板２１５にある第２の上長穴２１９と、それに対応する支持手段１２の第２の接続板部１２３にある第２の接続長穴１２８と、それに対応する第２の取付部材１４の第２の下接続板１４２にある第２の下長穴１４９と、を一斉に貫通して、その根角部を回転不能に挿し込んで、そのネジ部をナット２３２と螺合して、第２の上接続板２１５と第２の接続板部１２３と第２の下接続板１４２とを取り外し可能に接続し固定する。
【００３１】
なお、左固定手段１７と右固定手段１８と第１の上固定手段２２及び第２の上固定手段２３としては、本実施形態に限定されず、他種のボルトとナットとの組み合わせを使用し、もしくは第１の取付部材１３と第２の取付部材１４に長穴などを開けずにリベットを打ち込んで接続固定するような変更も可能である。
【００３２】
次に、本考案の連結装置の取り扱い方について説明する。本考案の連結装置を使って梁体９００と柱体８００を連結させる場合には、例えば、まず直立した柱体８００に対して、その上端部８０１を第１の取付部材１３及び第２の取付部材１４で両側から挟んで抱き込み、そして第１の下接続板１３２及び第２の下接続板１４２を該上端部８０１より上方に配置する。それから、左固定手段１７で対応する第１の左接続板１３５及び第２の左接続板１４５を貫通して固定し、一方、右固定具１８で対応する第１の右接続板１３６及び第２の右接続板１４６を貫通して固定して、柱体８００の上端部８０１を受入空間１６内に保持するよう下支持枠１１を取り付ける。
【００３３】
続いて、柱体８００の所定の延伸方向Ａと傾き角度θをなした縦方向Ｌに面する第１の左接続板１３５及び第２の左接続板１４５に対して、支持手段１２を、第１の接続板部１２２及び第２の接続板部１２３の下面１２５側にそれぞれ合わせて、中央板部１２１の下面１２５側が受入空間１６の上側を覆うように、上方に載せて配置してから、梁体９００を横方向Ｗに沿って延伸するよう支持手段１２の中央板部１２１の上面１２６側に載せる。
【００３４】
更に、上保持枠２１で上側から梁体９００を抱き込んで当接し、そして、第１の上接続板２１４及び第２の上接続板２１５が支持手段１２の第１の接続板部１２２及び第２の接続板部１２３にそれぞれ合わせるように、上保持枠２１を配置する。それから、第１の上固定具２２で第１の上接続板２１４と第１の接続板部１２２及び第１の下接続板１３２を貫通して固定し、一方、第２の上固定手段２３で第２の上接続板２１５と第２の接続板部１２３及び第２の下接続板１４２を貫通して固定すれば、上保持枠２１と支持手段１２と下支持枠１１とを接続して、直接梁体９００と柱体８００を互いに傾斜して連結させることができる。この構造によって、梁体９００と柱体８００に対する加工作業が不要なので、工事の効率を向上させることができる。
【００３５】
上記の実施形態によれば、本考案の連結装置は、梁体９００に当接して支持できる支持手段１２と、支持手段１２と共に梁体９００を保持する上保持枠２１と、所定の傾き角度θを成す延伸方向Ａに沿って延伸する柱体８００を受け入れて該柱体８００に取り付け可能になっている下支持枠１１と、を備えているため、該梁体９００と該柱体８００を互いに傾斜する横方向Ｗと所定の延伸方向Ａにそれぞれ沿って延伸するよう保持して、梁体９００と柱体８００などの構造材に対する加工作業が必要なく、直接連結させて建設を便利、且つ効率よく進めることができる。
【００３６】
以上、本考案の好ましい実施形態を説明したが、本考案はこれに限定されるものではなく、その要旨を逸脱しない範囲で種々変更可能である。
【産業上の利用可能性】
【００３７】
上記構成によれば、本考案の連結装置は、予めに生産することができるので、工事現場では梁体と柱体との間に設置固定するだけで梁体と柱体とを連結させることができるので、例えばソーラーパネルなどを設置する工事の効率を向上させることができる上、異なる傾き角度θに対応する下支持枠１１を生産することで、より幅広い傾斜角度の構造の需要に対応することもできる。
【符号の説明】
【００３８】
１１  下支持枠
１２  支持手段
１２０  支持体
１２１  中央板部
１２２  第１の接続板部
１２３  第２の接続板部
１２４  補強突起
１２５  下面
１２６  上面
１３  第１の取付部材
１３１  第１の基壁
１３２  第１の下接続板
１３３  第１の左延伸壁
１３４  第１の右延伸壁
１３５  第１の左接続板
１３６  第１の右接続板
１３７  第１の左長穴
１３８  第１の右長穴
１４  第２の取付部材
１４１  第２の基壁
１４２  第２の下接続板
１４３  第２の左延伸壁
１４４  第２の右延伸壁
１４５  第２の左接続板
１４６  第２の右接続板
１４７  第２の左長穴
１４８  第２の右長穴
１６  受入空間
１７  左固定手段
１７１  根角ボルト
１７２  ナット
１８  右固定手段
１８１  根角ボルト
１８２  ナット
２１  上保持枠
２１１  上壁
２１２  第１の上延伸壁
２１３  第２の上延伸壁
２１４  第１の上接続板
２１５  第２の上接続板
２１６  第１の補強壁
２１７  第２の補強壁
２１８  第１の上長穴
２１９  第２の上長穴
２２  第１の上固定手段
２２１  根角ボルト
２２２  ナット
２３  第２の上固定手段
２３１  根角ボルト
２３２  ナット
２４  保持空間
８００  柱体
８０１  上端部
９００  梁体
Ａ  延伸方向
Ｌ  縦方向
Ｗ  横方向
θ  傾き角度
【図１】
0003212631.tif 000003
【図２】
0003212631.tif 000004
【図３】
0003212631.tif 000005
【図４】
0003212631.tif 000006